(57)【要約】【課題】良好なアンテナゲインを保ったまま筐体に取り付けることが可能なスリーブアンテナ及び無線通信装置を提供する。【解決手段】スリーブアンテナは、同軸給電線路１２と、同軸給電線路１２の先端部において外部導体３０が除去された所定長さの放射部１４と、放射部１４の基端部から放射部１４とは逆方向に向けて同軸給電線路１２を覆う所定長さのスリーブ１０と、を含み、放射部１４とスリーブ１０との少なくとも一方は、少なくとも一部に屈曲部３６を有している。【選択図】図１
2013219746.tif 000002
【特許請求の範囲】
【請求項１】
同軸給電線路と、
前記同軸給電線路の先端部において外部導体が除去された所定長さの放射部と、
前記放射部の基端部から前記放射部とは逆方向に向けて前記同軸給電線路を覆う所定長さのスリーブと、
を含み、
前記放射部と前記スリーブとの少なくとも一方は、少なくとも一部に屈曲部を有していることを特徴とするスリーブアンテナ。
【請求項２】
請求項１に記載のスリーブアンテナにおいて、
前記屈曲部は、略Ｌ字形状又は略Ｕ字形状の湾曲部又は折り曲げ部から構成されていることを特徴とするスリーブアンテナ。
【請求項３】
請求項１又は２に記載のスリーブアンテナと、
筐体と、
接続端子を有し、前記筐体に収納される回路基板と、
を含み、
前記スリーブアンテナは、前記回路基板の前記接続端子に接続され、前記スリーブアンテナの前記スリーブと前記同軸給電線路との少なくとも一方が、前記回路基板と前記筐体との少なくとも一方に保持されていることを特徴とする無線通信装置。
【請求項４】
請求項３に記載の無線通信装置において、
前記筐体は孔を有し、
前記スリーブは、前記孔に所望の長さだけ挿入されていることを特徴とする無線通信装置。
【請求項５】
請求項３又は４に記載の無線通信装置において、
前記スリーブアンテナを保持する保持部材を含み、
前記保持部材は、前記回路基板と前記筐体との少なくとも一方と、前記スリーブの末端部と、の間に設けられていることを特徴とする無線通信装置。
【請求項６】
請求項５に記載の無線通信装置において、
前記保持部材は、低誘電率の材料にて形成されていることを特徴とする無線通信装置。
【請求項７】
請求項３〜６のいずれか一項に記載の無線通信装置において、
前記スリーブアンテナの前記放射部の形状を維持する維持部材を含み、
前記維持部材は、前記放射部の少なくとも一部を覆うように設けられていることを特徴とする無線通信装置。
【請求項８】
請求項７に記載の無線通信装置において、
前記保持部材は、前記回路基板と前記筐体との少なくとも一方と、前記維持部材と、の間に設けられていることを特徴とする無線通信装置。
【発明の詳細な説明】
【技術分野】
【０００１】
本発明は、スリーブアンテナ及び無線通信装置に関するものである。
【背景技術】
【０００２】
従来、超短波帯以上の周波数の電磁波を用いた通信に用いられるアンテナの１種としてスリーブアンテナが知られている。このスリーブアンテナの最も単純な構造としては、図１３に示すようなスリーブアンテナ５０が知られている。
【０００３】
このスリーブアンテナ５０は、同軸給電線路１２すなわち一般的に同軸ケーブルと称されているものの一端部を、外皮となる絶縁部材１８を含む芯線導体２０のみとして放射部１４を形成し、この放射部１４を覆っていた網線３０からなる外部導体（網線）３０を逆方向に折り返して（又は、同軸円管を網線３０の外側に被せて）スリーブ１０としたものが知られている。放射部１４の長さ及びスリーブ１０の長さはともに、受信しようとする電波の波長をλとすると、λ／４の長さとするのが一般的であるが、λ／２あるいはλ／８又はその他の長さにしたものなども知られている。
【０００４】
また、このような最も単純な構造のスリーブアンテナ５０に改良を加えたものとして、誘電体プリントを用い、小型で高利得が得られる二つのアンテナ素子を有するメアンダラインスリーブアンテナが開示されている（例えば、特許文献１参照）。
【０００５】
また、人体の影響を軽減し、広帯域で高利得のイヤホンアンテナが開示されるとともに、受信の安定性を確保した携帯型無線機が開示されている（例えば、特許文献２、３参照）。
【先行技術文献】
【特許文献】
【０００６】
【特許文献１】特開２００２−１４１７３２号公報
【特許文献２】特開２００５−３４８２５２号公報
【特許文献３】特開２００５−６４７４２号公報
【発明の概要】
【発明が解決しようとする課題】
【０００７】
しかしながら、従来のスリーブアンテナは構造が簡単であり、低コストなため多く使用されているが、スリーブアンテナを機器内部に収納する場合には、その機器の筐体内に所定長さの直線部を確保する必要があった。そのため、筐体の大きさや形状に合わせて、スリーブアンテナを機器内部に設置することが難しかった。
【課題を解決するための手段】
【０００８】
本発明は、上述の課題の少なくとも一部を解決するためになされたものであり、以下の形態又は適用例として実現することが可能である。
【０００９】
［適用例１］本適用例に係るスリーブアンテナは、同軸給電線路と、前記同軸給電線路の先端部において外部導体が除去された所定長さの放射部と、前記放射部の基端部から前記放射部とは逆方向に向けて前記同軸給電線路を覆う所定長さのスリーブと、を含み、前記放射部と前記スリーブとの少なくとも一方は、少なくとも一部に屈曲部を有していることを特徴とする。
【００１０】
本適用例によれば、スリーブアンテナの放射部とスリーブとの少なくとも一方は、少なくとも一部に屈曲部を有しているため、例えば、直線方向に一定の長さが必要な従来のスリーブアンテナが収納できない筐体に取り付ける場合にも良好なアンテナゲインを保ったまま筐体に取り付けることが可能である。したがって、直線方向に一定の長さが必要な従来のスリーブアンテナを筐体に取り付ける場合に比べて、設計上の自由度が増し、スリーブアンテナ周囲の構造に与える影響が少なくなるため、スリーブアンテナを収納する機器の小型化も可能である。なお、本適用例において屈曲は、特にその角度は限定されず、スリーブアンテナが良好なアンテナゲインを保ったまま、例えば筐体に取り付けることが可能となる曲がりを意味する。
【００１１】
［適用例２］上記適用例に記載のスリーブアンテナにおいて、前記屈曲部は、略Ｌ字形状又は略Ｕ字形状の湾曲部又は折り曲げ部から構成されていることを特徴とする。
【００１２】
本適用例によれば、例えば、スリーブアンテナ付近に配置される部材の位置や形状に、スリーブアンテナの屈曲の状態を適合させることができる。
【００１３】
［適用例３］本適用例に係る無線通信装置は、上記記載のスリーブアンテナと、筐体と、接続端子を有し、前記筐体に収納される回路基板と、を含み、前記スリーブアンテナは、前記回路基板の前記接続端子に接続され、前記スリーブアンテナの前記スリーブと前記同軸給電線路との少なくとも一方が、前記回路基板と前記筐体との少なくとも一方に保持されていることを特徴とする。
【００１４】
本適用例によれば、スリーブアンテナの放射部とスリーブとの少なくとも一方は、少なくとも一部に屈曲部を有しているため、直線方向に一定の長さが必要な従来のスリーブアンテナが収納できない筐体に取り付ける場合にも良好なアンテナゲインを保ったまま筐体に取り付けることが可能である。したがって、直線方向に一定の長さが必要な従来のスリーブアンテナを筐体に取り付ける場合に比べて、設計上の自由度が増し、スリーブアンテナ周囲の構造に与える影響が少なくなるため、スリーブアンテナを収納する機器の、小型化も可能である。また、スリーブアンテナ付近に配置される部材の位置や形状に、スリーブアンテナの屈曲部の屈曲の状態を適合させることができるため、スリーブアンテナ周囲の構造に与える影響が少なくなる。
【００１５】
［適用例４］上記適用例に記載の無線通信装置において、前記筐体は孔を有し、前記スリーブは、前記孔に所望の長さだけ挿入されていることを特徴とする。
【００１６】
本適用例によれば、筐体材料等の誘電体からの距離が一定に保たれ、アンテナ性能が安定する。また、スリーブアンテナのスリーブの末端部で保持することにより、保持部分の誘電体がアンテナに及ぼす影響を低減できる（アンテナの電流分布に影響を与えない）。
【００１７】
［適用例５］上記適用例に記載の無線通信装置において、前記スリーブアンテナを保持する保持部材を含み、前記保持部材は、前記回路基板と前記筐体との少なくとも一方と、前記スリーブの末端部と、の間に設けられていることを特徴とする。
【００１８】
本適用例によれば、アンテナの一部に屈曲部を設けて筐体内に配置するとともに、適切な保持構造をとることで、筐体材料等の誘電体からの距離が一定に保たれ、アンテナ性能が安定する。また、スリーブアンテナのスリーブの末端部で保持することにより、保持部分の誘電体がアンテナに及ぼす影響を低減できる（アンテナの電流分布に影響を与えない）。
【００１９】
［適用例６］上記適用例に記載の無線通信装置において、前記保持部材は低誘電率の材料にて形成されていることを特徴とする。
【００２０】
本適用例によれば、電波を透過する低誘電率の材質で保持することにより、保持部分の誘電体がアンテナに及ぼす影響を低減できる（アンテナの電流分布に影響を与えない）。
【００２１】
［適用例７］上記適用例に記載の無線通信装置において、前記スリーブアンテナの前記放射部の形状を維持する維持部材を含み、前記維持部材は、前記放射部の少なくとも一部を覆うように設けられていることを特徴とする。
【００２２】
本適用例によれば、放射部の変形によるアンテナゲインのばらつきを低減できるので、安定した通信品質を保持できる。また、落下等の衝撃にもアンテナゲインの変化が少なく、放射部の保持を容易にする。
【００２３】
［適用例８］上記適用例に記載の無線通信装置において、前記保持部材は、前記回路基板と前記筐体との少なくとも一方と、前記維持部材と、の間に設けられていることを特徴とする。
【００２４】
本適用例によれば、アンテナの一部に屈曲部を設けて筐体内に配置するとともに、適切な保持構造をとることで、筐体材料等の誘電体からの距離が一定に保たれ、アンテナ性能が安定する。
【図面の簡単な説明】
【００２５】
【図１】第１実施形態に係る無線通信装置の構成を示す模式図。（Ａ）は模式平面図、（Ｂ）は模式正面図、（Ｃ）は模式右側面図。
【図２】第２実施形態に係る無線通信装置の構成を示す模式図。（Ａ）は模式平面図、（Ｂ）は模式正面図、（Ｃ）は模式右側面図。
【図３】変形例１の屈曲型スリーブアンテナの構成を示す模式平面図。
【図４】変形例２の屈曲型スリーブアンテナの構成を示す模式平面図。
【図５】変形例３の無線通信装置の構成を示す模式平面図。
【図６】変形例４の無線通信装置の構成を示す模式平面図。
【図７】変形例５の無線通信装置の構成を示す模式平面図。
【図８】変形例６の無線通信装置の構成を示す模式平面図。
【図９】変形例７の屈曲型スリーブアンテナの構成を示す模式平面図。
【図１０】変形例８の屈曲型スリーブアンテナの構成を示す模式平面図。
【図１１】変形例９の無線通信装置の構成を示す模式平面図。
【図１２】変形例１０の無線通信装置の構成を示す模式平面図。
【図１３】従来のスリーブアンテナの構成を示す外観斜視図。
【発明を実施するための形態】
【００２６】
以下、本発明を具体化した実施形態について図面に従って説明する。なお、使用する図面は、説明する部分が認識可能な状態となるように、適宜拡大又は縮小して表示している。
【００２７】
（第１実施形態）
図１は、本実施形態に係る無線通信装置２の構成を示す模式図である。（Ａ）は模式平面図、（Ｂ）は模式正面図、（Ｃ）は模式右側面図である。以下、無線通信装置２の構造を、図１を参照しながら説明する。
【００２８】
本実施形態に係る無線通信装置２は、屈曲型スリーブアンテナ（スリーブアンテナ）６と、筐体２４と、回路基板２２と、を含んでいる。
【００２９】
屈曲型スリーブアンテナ６は、同軸給電線路１２と、同軸給電線路１２の先端部において網線３０が除去された所定長さの放射部１４と、放射部１４の基端部から放射部１４とは逆方向に向けて同軸給電線路１２を覆う所定長さのスリーブ１０と、を含んでいる。放射部１４とスリーブ１０との少なくとも一方は、少なくとも一部に屈曲部３６を有している。屈曲部３６は、略Ｌ字形状又は略Ｕ字形状の湾曲部又は折り曲げ部から構成されている。
【００３０】
屈曲型スリーブアンテナ６は、そのアンテナ長さ方向の形状が直線でない。換言すれば、アンテナ長さ方向に屈曲部が複数形成されている。ここで、屈曲とは、ある一本の線が測定可能な角度αを持って折れ曲がった形状になっていることを意味する。また、湾曲とは、ある一本の線が、測定可能な曲率半径Ｒを持って撓んだように曲がった形状になっていることを意味する。
【００３１】
屈曲型スリーブアンテナ６は、回路基板２２のコネクター１６に接続されている。屈曲型スリーブアンテナ６は、回路基板２２と筐体２４との少なくとも一方に保持されている。
【００３２】
屈曲型スリーブアンテナ６は、屈曲型スリーブアンテナ６の緩衝材としての機能を持たせるため、弾性のある保持部材２６を利用して固定されている。また、屈曲型スリーブアンテナ６は、熱可塑性樹脂（ホットメルト）、紫外線硬化型エポキシ等を用いてプラスチック製の筐体２４に固定されていてもよい。
【００３３】
同軸給電線路１２は、図１３に示すように、芯線導体２０を絶縁部材１８を介して外部導体（網線）３０により被覆し、最外周を保護被膜３２で覆った同軸構造を備えている。
【００３４】
スリーブ１０は、使用波長の略０．２５倍の長さの円筒形薄板導体で形成され、その上端は網線３０に半田付け等により接続されている。スリーブ１０は、任意の好適な導電性材料（例えば、ステンレス鋼、アルミニウム、チタン、銅などの金属）で形成されていてもよい。スリーブ１０は、少なくとも一部に屈曲部３６を有していてもよい。
【００３５】
放射部１４は、スリーブ１０より露出する同軸給電線路１２の先端部分から網線３０を取り除くことにより、使用波長の略０．２５倍の長さで形成されている。そして、同軸給電線路１２の絶縁部材１８が、放射部１４において芯線導体２０を支持する部材として機能している。なお、放射部１４から絶縁部材１８を取り除き、別の支持部材で芯線導体２０を支持してもよい。放射部１４は、少なくとも一部に屈曲部３６を有していてもよい。放射部１４は、図１に示すように、スリーブ１０側の端に略９０度に屈曲される屈曲部３６を有している。
【００３６】
屈曲型スリーブアンテナ６は、放射部１４の芯線導体２０の形状を維持する絶縁チューブ（維持部材）２７を含んでいる。絶縁チューブ２７は、放射部１４の芯線導体２０の少なくとも一部を覆うように設けられている。これによれば、放射部１４の芯線導体２０の変形によるアンテナゲインのばらつきが低減し安定した通信品質を保持できる。落下等の衝撃にもアンテナゲインの変化が少ない。また、放射部１４の芯線導体２０の保持を容易にする。絶縁チューブ２７は低誘電率の材料にて形成されている。絶縁チューブ２７はポリエチレン、発砲ポリエチレン、フッ素樹脂等から形成される。これによれば、低誘電率のチューブにより、アンテナ共振周波数のずれを最小限にできる。
【００３７】
同軸給電線路１２の基端部には、送信あるいは受信装置接続用のコネクター（図示せず）が設けられている。コネクターは、網線３０と導通するネジ部（図示せず）と芯線導体２０と導通する中心端子（図示せず）との間に絶縁スペーサー（図示せず）を介在させて構成されている。
【００３８】
筐体２４は、回路基板２２を覆うケースであり、電磁波を通過する素材（プラスチック等）によって構成されている。
【００３９】
回路基板２２はコネクター（接続端子）１６を有している。回路基板２２は筐体２４に収納されている。回路基板２２は無線通信装置２の機能を実現する回路が形成された面を有している。回路基板２２上には屈曲型スリーブアンテナ６から送信する電磁波の電力を増幅し、設定した送信電力とするための増幅回路（図示せず）が形成されている。この増幅回路は無線通信装置２において要求される送信電力を、屈曲型スリーブアンテナ６から電磁波として放射する。
【００４０】
無線通信装置２は、屈曲型スリーブアンテナ６を保持する保持部材２６を含み、保持部材２６は、回路基板２２と筐体２４との少なくとも一方と、スリーブ１０の末端部と、の間に設けられている。また、保持部材２６は、回路基板２２と筐体２４との少なくとも一方と、絶縁チューブ２７と、の間に設けられていてもよい。さらに、屈曲型スリーブアンテナ６の放射部１４の芯線導体２０全体を絶縁チューブ２７にて覆い、保持部材２６は、その一部を保持してもよい。これによれば、屈曲型スリーブアンテナ６の一部を屈曲させて屈曲部３６を設け、筐体２４内に配置するとともに、適切な保持構造をとることで、筐体２４の材料等の誘電体からの距離が一定に保たれ、アンテナ性能が安定する。また、スリーブ１０の末端部で保持することにより、保持部分の誘電体が屈曲型スリーブアンテナ６に及ぼす影響を低減できる（屈曲型スリーブアンテナ６の電流分布に影響を与えない）。なお、絶縁チューブ２７にて放射部１４の芯線導体２０端点を保持してもよい。
【００４１】
保持部材２６は、低誘電率の材料にて形成されている低誘電率チューブである。これによれば、スリーブ１０の末端部で保持することにより、保持部分の誘電体が屈曲型スリーブアンテナ６に及ぼす影響を低減できる（屈曲型スリーブアンテナ６の電流分布に影響を与えない）。柔軟な材料（例えば、シリコーンゴム、天然ゴム若しくは合成ゴム、又は他の適切な弾力性圧縮性材料）から形成されている。
【００４２】
低誘電率材料としては、例えば、シリカガラス、アルキルシロキサンポリマー、アルキルシルセスキオキサンポリマー、水素化アルキルシルセスキオキサンポリマー、ポリアリールエーテルのうちいずれかを含むスピンオングラス膜、ダイヤモンド膜、及びフッ素化アモルファス炭素膜、などが挙げられる。
【００４３】
さらに、低誘電率材料として、例えば、エアロゲル、多孔質シリカ、フッ化マグネシウムの微粒子を分散したゲル、フッ素系ポリマー、多孔性ポリマー、及び所定の材料に微粒子を含有したもの、などを用いてもよい。
【００４４】
本実施形態によれば、屈曲型スリーブアンテナ６の放射部１４とスリーブ１０との少なくとも一方は、少なくとも一部に屈曲部３６を有しているため、直線方向に一定の長さが必要な従来のスリーブアンテナが収納できない筐体２４に取り付ける場合にも良好なアンテナゲインを保ったまま筐体２４に取り付けることが可能である。したがって、直線方向に一定の長さが必要で筐体２４に取り付ける場合に比べて、設計上の自由度が増し、屈曲型スリーブアンテナ６周囲の構造に与える影響が少なくなるため、屈曲型スリーブアンテナ６を収納する筐体２４の小型化も可能である。また、屈曲型スリーブアンテナ６付近に配置される部材の位置や形状に、屈曲型スリーブアンテナ６の屈曲の状態を適合させることができるため、周囲の構造に与える影響が少なく、ケース内、ケース外、いずれにも配置することができる。さらに、アンテナ自身の構成が簡単であり、製法が容易であるため、低コストである。
【００４５】
（第２実施形態）
図２は、本実施形態に係る無線通信装置４の構成を示す模式図である。（Ａ）は模式平面図、（Ｂ）は模式正面図、（Ｃ）は模式右側面図である。以下、無線通信装置４の構造を、図２を参照しながら説明する。図において、前述した第１実施形態と同一構成部分は同一符号を持って表し、その説明を省略する。また、第２実施形態の屈曲型スリーブアンテナ６Ｂと第１実施形態の屈曲型スリーブアンテナ６との相違点は、第２実施形態では、第１実施形態における低誘電率チューブ２６に代えて、スリーブ１１の基端部とは逆側の端部から所望の長さだけ筐体２４の孔２８に挿入されるようにスリーブ１１を設けたことである。このスリーブ１１の長さも第１実施形態と同じ長さに設定されている。
【００４６】
なお、上記第１及び第２実施形態では、放射部１４及びスリーブ１０，１１の長さをともに、受信しようとする電波の波長をλとするとλ／４の長さに設定したが、これに限定されることはなく、λ／２あるいはλ／８又はその他の長さにしてもよいことは言うまでもない。
【００４７】
なお、実施形態は上記に限定されず、以下のような形態で実施することもできる。
【００４８】
（変形例１）
図３は、本変形例の屈曲型スリーブアンテナの構成を示す模式平面図である。
上記した第１実施形態において、屈曲部３６を有している放射部１４及び屈曲部を有していないスリーブ１０のそれぞれの形状に限定されず、また、上記した第２実施形態において、屈曲部３６を有している放射部１４及び屈曲部３６を有しているスリーブ１０のそれぞれの形状に限定されず、例えば、図３に示す形状でもよい。本変形例の屈曲型スリーブアンテナは、回路基板２２の縁部に沿って延在する屈曲部を有していない絶縁チューブ２７に覆われた放射部１４と、回路基板２２の縁部に沿って延在する屈曲部３６を有しているスリーブ１０と、回路基板２２の接続端子１６に接続され、保持部材２６により回路基板２２に保持されている同軸給電線路１２と、を備えている。スリーブ１０は、中央に円弧状（例えば、略１／４円弧）に屈曲される屈曲部３６を有している。
【００４９】
（変形例２）
図４は、本変形例の屈曲型スリーブアンテナの構成を示す模式平面図である。
本変形例の屈曲型スリーブアンテナは、回路基板２２の縁部に沿って延在する屈曲部を有していない絶縁チューブ２７に覆われた放射部１４と、円弧状に屈曲部３６を有しているスリーブ１０と、回路基板２２の接続端子１６に接続され、保持部材２６により回路基板２２に保持されている同軸給電線路１２と、を備えている。スリーブ１０は、中央に円弧状（例えば、略１／２円弧）に屈曲される屈曲部３６を有している。絶縁チューブ２７は回路基板２２に保持されている。
【００５０】
（変形例３）
図５は、本変形例の無線通信装置の構成を示す模式平面図である。
本変形例に係る無線通信装置は、ケーシング３４と、コネクター１６を有し、ケーシング３４に収納される回路基板２２と、ケーシング３４に保持され、回路基板２２のコネクター１６に接続される上記変形例２の屈曲型スリーブアンテナと、屈曲型スリーブアンテナ６を保持する保持部材２６と、を含んでいる。スリーブ１０は、円筒形の中央に円弧状（例えば、略１／２円弧）に屈曲される屈曲部３６を有している。保持部材２６は、ケーシング３４と、屈曲部３６を有しているスリーブ１０の末端部と、の間に設けられている。保持部材２６は、ケーシング３４と、回路基板２２の縁部に沿って延在する屈曲部を有していない絶縁チューブ２７に覆われた放射部１４と、の間に設けられている。ケーシング３４内部に、回路基板２２、屈曲型スリーブアンテナ６を配置し、それぞれケーシング３４内部に固定する。ケーシング３４は、断面が長方形のリング状で、プラスチック等の非導電材料によって構成された外周部の底面に、プラスチック等の非導電材料によって構成された円盤部を一体成型したものである。
【００５１】
（変形例４）
図６は、本変形例の無線通信装置の構成を示す模式平面図である。
本変形例に係る無線通信装置は、ケーシング３４と、コネクター１６を有し、ケーシング３４に収納される回路基板２２と、ケーシング３４に保持され、回路基板２２のコネクター１６に接続される上記変形例２の屈曲型スリーブアンテナと、屈曲型スリーブアンテナを保持する保持部材２６と、を含んでいる。保持部材２６は、ケーシング３４とスリーブ１０の末端部との間にスリーブに巻き付けるように設けられている。
【００５２】
（変形例５）
図７は、本変形例の無線通信装置の構成を示す模式平面図である。
本変形例の無線通信装置は、回路基板２２の縁部に沿って延在する屈曲部３６を有している絶縁チューブ２７に覆われた放射部１４と、屈曲部を有していないスリーブ１０と、回路基板２２のコネクター１６に接続され、保持部材２６によりケーシング３４に保持されている同軸給電線路１２と、を備えている。放射部１４は、スリーブ１０側の端に略９０度に屈曲される屈曲部３６を有している。保持部材２６は、ケーシング３４とスリーブ１０の末端部との間にスリーブの円筒を巻くようにドーナツ状に設けられている。
【００５３】
（変形例６）
図８は、本変形例の無線通信装置の構成を示す模式平面図である。
本変形例の無線通信装置は、回路基板２２の縁部に沿って延在する屈曲部３６を有している絶縁チューブ２７に覆われた放射部１４と、屈曲部３６を有しているスリーブ１０と、回路基板２２の接続端子１６に接続され、保持部材２６によりケーシング３４に保持されている同軸給電線路１２と、を備えている。スリーブ１０は、円筒形の中央部に円弧状（例えば、略１／２円弧）に屈曲される屈曲部３６を有している。放射部１４は、中央に略９０度に屈曲される屈曲部３６を有している。保持部材２６は、ケーシング３４とスリーブ１０の末端部との間にスリーブに巻き付けるように設けられている。
【００５４】
なお、屈曲型スリーブ１０部分を同軸給電線路１２の網線３０で構成してもよい。また、屈曲型スリーブアンテナ６，６Ｂの寸法を変えることで、さまざまな周波数帯に応用できるようにしてもよい。例えば、２．４ＧＨｚ帯（ＷｉＦｉ、Ｂｌｕｅｔｏｏｔｈ（登録商標）、Ｚｉｇｂｅｅ（登録商標）、ＧＰＳ、ＰＨＳなど）等である。
【００５５】
また、屈曲型スリーブアンテナ６，６Ｂは屈曲形状であるため、ケーシング３４内外のいずれにも配置してよい。
【００５６】
（変形例７）
図９は、本変形例の屈曲型スリーブアンテナの構成を示す模式平面図である。
図９に屈曲型スリーブアンテナ６を円弧状に変形して丸型の筐体に収める場合を想定した実施例を示す。
例えば、ＷＬＡＮ、Ｂｌｕｅｔｏｏｔｈ（登録商標）、などのＩＳＭバンド２．５ＧＨｚを使用する場合、円周長（Ｌ１）は約６０ｍｍ（２分の１波長相当）であるが、ＧＰＳの１．５ＧＨｚの場合には、円周長（Ｌ２）は約１００ｍｍとなる。円弧状に屈曲させる場合、前者では、半径（Ｒ１）は約１０ｍｍ、後者では、半径（Ｒ２）は約１７ｍｍ程度となり、腕装着タイプの機器として、実装可能（筐体内に形成可能）なサイズで実施できる。
【００５７】
実際には絶縁チューブ２７の誘電率の影響、誘電体である筐体との距離等により、目的とする周波数からのずれが生ずるが、このずれを補正するため、アンテナ長を調整（増減）して、最終的なアンテナ長、アンテナ半径を定める。
【００５８】
図９においては、スリーブ１０部分と放射部１４部分とを一括して、絶縁チューブ２７内に納める構造が示されている。（回路との接続部分であるコネクター部分は略してある）この場合、製造が容易であり、また、回路、筐体との絶縁も容易に得られる。
【００５９】
また、屈曲型スリーブアンテナ６を回路と筐体との少なくとも一方で保持する場合、スリーブ１０部分と放射部１４部分との少なくとも一方を直接保持するのではなく、絶縁チューブ２７を介して保持するので、屈曲型スリーブアンテナ６に対する保持部材の影響を低減することができる。
また、放射部１４の付け根（スリーブ１０の放射部１４側の端部）における芯線導体２０の曲がりが起らないよう保護できるだけでなく、絶縁チューブ２７内で屈曲型スリーブアンテナ６全体が回転方向に動いた場合にも放射部１４の形状を一定に保つことができる。
【００６０】
図９の実施例においては、絶縁チューブ２７は所定の半径を有する円弧状のチューブであることが、上記放射部１４の形状の保持のために望ましく、設計上円弧状に屈曲されたスリーブ１０部分及び放射部１４部分と同じ中心を有する円弧であって、絶縁チューブ２７の断面中心線による円弧と円弧状に屈曲された屈曲型スリーブアンテナ６の断面中心線による円弧が略同一の寸法であることが好ましい。
【００６１】
（変形例８）
図１０は、本変形例の屈曲型スリーブアンテナの構成を示す模式平面図である。
図１０には絶縁チューブ２７が屈曲型スリーブアンテナ６の放射部１４（芯線導体２０）にのみ設けられた構成例を示す。
【００６２】
この場合、スリーブ１０の放射部１４の付け根（スリーブ１０の放射部１４側の端部）において、絶縁チューブ２７が固定されることが望ましく。スリーブ１０の放射部１４の付け根（スリーブ１０の放射部１４側の端部）をカシメ等で圧縮加工しておき、本来のスリーブ断面より小さな形状として、カシメ後の形状と等しい内径のチューブを装着するようにすることが、絶縁チューブ２７の固定、小型化の観点から好ましい。
【００６３】
また、この場合にはスリーブ１０の保護のために、スリーブ１０の放射部１４と反対側の端点に近い部分を保持することが、保持部材による屈曲型スリーブアンテナ６への影響（共振周波数のずれ等）を小さくするために望ましい。
【００６４】
図１０の実施例においても、図９の実施例と同様、絶縁チューブ２７は円弧状のチューブであることがより好ましい。
【００６５】
（変形例９）
図１１は、本変形例の無線通信装置の構成を示す模式平面図である。
本変形例に係る無線通信装置は、ケーシング３４と、コネクター１６を有し、ケーシング３４に収納される回路基板２２と、ケーシング３４に保持され、回路基板２２のコネクター１６に接続される屈曲していないスリーブアンテナと、屈曲していないスリーブアンテナの放射部１４の形状を維持する絶縁チューブ２７を含んでいる。絶縁チューブ２７は、放射部１４の少なくとも一部を覆うように設けられている（図１１では、放射部１４の全体を絶縁チューブ２７で覆っている。）。これによれば、放射部１４の芯線導体２０の変形によるアンテナゲインのばらつきを低減できるので、安定した通信品質を保持できる。また、落下等の衝撃にもアンテナゲインの変化が少なく、芯線導体２０の保持を容易にする。
【００６６】
（変形例１０）
図１２は、本変形例の無線通信装置の構成を示す模式平面図である。
本変形例に係る無線通信装置は、ケーシング３４と、コネクター１６を有し、ケーシング３４に収納される回路基板２２と、ケーシング３４に保持され、回路基板２２のコネクター１６に接続される屈曲型スリーブアンテナ６と、屈曲しているスリーブアンテナの放射部１４の形状を維持する絶縁チューブ２７を含んでいる。絶縁チューブ２７は、放射部１４の少なくとも一部を覆うように設けられている（図１２では、放射部１４の全体を絶縁チューブ２７で覆っている。）。これによれば、放射部１４の芯線導体２０の変形によるアンテナゲインのばらつきを低減できるので、安定した通信品質を保持できる。また、落下等の衝撃にもアンテナゲインの変化が少なく、芯線導体２０の保持を容易にする。
【符号の説明】
【００６７】
２，４…無線通信装置  ６，６Ｂ…屈曲型スリーブアンテナ（スリーブアンテナ）  １０，１１…スリーブ  １２…同軸給電線路  １４…放射部  １６…コネクター（接続端子）  １８…絶縁部材  ２０…芯線導体  ２２…回路基板  ２４…筐体  ２６…低誘電率チューブ（保持部材）  ２７…絶縁チューブ（維持部材）  ２８…孔  ３０…網線（外部導体）  ３２…保護被膜  ３４…ケーシング  ３６…屈曲部。
【図１】
2013219746.tif 000003
【図２】
2013219746.tif 000004
【図３】
2013219746.tif 000005
【図４】
2013219746.tif 000006
【図５】
2013219746.tif 000007
【図６】
2013219746.tif 000008
【図７】
2013219746.tif 000009
【図８】
2013219746.tif 000010
【図９】
2013219746.tif 000011
【図１０】
2013219746.tif 000012
【図１１】
2013219746.tif 000013
【図１２】
2013219746.tif 000014
【図１３】
2013219746.tif 000015